(57)【要約】    【課題】  部品の着脱作業を要することなく、簡単に、発振器等磁気回路を備えた装置単体での、周波数特性の検査を可能とした電気的に制御される磁気回路を備えた装置の駆動回路を提供する。    【解決手段】  信号レベル調整部１４と積分回路部１５とを具備する電気的に制御される磁気回路を備えた装置の駆動回路であって、前記積分回路部がＯＰアンプ２３と、該ＯＰアンプに対して並列に接続されたコンデンサ２７と、並列に接続された負帰還用の抵抗２８と、該抵抗を前記ＯＰアンプに対して継断するスイッチング手段３３，３２とを有し、該スイッチング手段が前記抵抗を断状態とすることで、前記積分回路部が積分回路として動作し、前記スイッチング手段が前記抵抗を継状態とすることで、前記積分回路部が増幅回路として動作する様構成した。    【選択図】          図１
2009124252.tif 000002
【特許請求の範囲】
【請求項１】
信号レベル調整部と積分回路部とを具備する電気的に制御される磁気回路を備えた装置の駆動回路であって、前記積分回路部がＯＰアンプと、該ＯＰアンプに対して並列に接続されたコンデンサと、並列に接続された負帰還用の抵抗と、該抵抗を前記ＯＰアンプに対して継断するスイッチング手段とを有し、該スイッチング手段が前記抵抗を断状態とすることで、前記積分回路部が積分回路として動作し、前記スイッチング手段が前記抵抗を継状態とすることで、前記積分回路部が増幅回路として動作する様構成したことを特徴とする電気的に制御される磁気回路を備えた装置の駆動回路。
【発明の詳細な説明】
【技術分野】
【０００１】
本発明は電気的に制御される磁気回路を備えた装置の駆動回路、特に磁気回路を備えた装置の電気的特性を容易に検査可能とした電気的に制御される磁気回路を備えた装置の駆動回路に関するものである。
【背景技術】
【０００２】
電気的に制御される磁気回路を備えた装置、例えば発振器、フィルタ等では動作特性を確認する為の試験を行う必要がある。
【０００３】
図２は、共振子としてＹＩＧ（イットリウム、鉄、ガーネット：Ｙｔｔｒｉｕｍ、Ｉｒｏｎ、Ｇａｒｎｅｔ）共振子２を用いた前記発振器１を示している。
【０００４】
該発振器１は、前記ＹＩＧ共振子２を含む発振部８を具備し、前記ＹＩＧ共振子２に磁界を与えることで発振させ、又磁界の大きさを変化させて発振周波数を制御するものであり、磁界を発生させるコイルとして粗調整コイル３、微調整コイル４を具備している。
【０００５】
前記粗調整コイル３は低速ではあるが、大電流を制御可能であり、前記微調整コイル４は、高速での制御が可能ではあるが、小電流の制御となる。前記粗調整コイル３、前記微調整コイル４は、それぞれ粗調整駆動回路５、微調整駆動回路６によって電流が供給され、通電により磁束７が発生され、磁界が形成され、前記粗調整コイル３と前記微調整コイル４との協働により、前記ＹＩＧ共振子２の発振が制御される。
【０００６】
前記発振器１を無線装置等の電子機器に組込む場合は、所望の前記発振周波数で安定した出力を得る為、前記発振部８の出力を分配器９で分配し、分配した一方を発振出力端子１１へ出力する。もう一方の出力は、ＰＬＬ（ｐｈａｓｅ−ｌｏｃｋｅｄ  ｌｏｏｐ）回路１２へ入力され、位相比較等の信号処理がなされ、更に前記粗調整駆動回路５、前記微調整駆動回路６及び前記粗調整コイル３、前記微調整コイル４を経て前記磁束７が調整され、前記発振部８にフィードバックされることで、発振器１として安定な出力が得られる。
【０００７】
次に、図３に於いて、従来の前記粗調整駆動回路５について説明する。
【０００８】
該粗調整駆動回路５は、主に信号レベル調整部１４、積分回路部１５によって構成されている。
【０００９】
前記信号レベル調整部１４は、ＯＰアンプ１６、抵抗１７，１８，１９，２０、電圧源２２によって構成され、前記抵抗１７，１８，１９，２０は、それぞれＲ１，Ｒ２，Ｒ３，Ｒ４の抵抗値を有している。
【００１０】
前記積分回路部１５は、ＯＰアンプ２３、抵抗２４，２５、前記ＯＰアンプ２３に対して並列に接続されたコンデンサ２７によって構成され、前記抵抗２４，２５は、それぞれＲ５，Ｒ６の抵抗値を有している。又、前記積分回路部１５には、前記ＯＰアンプ２３に対して負帰還用の抵抗２８が着脱できる様になっており、該抵抗２８の抵抗値はＲ７となっている。
【００１１】
前記粗調整駆動回路５が前記粗調整コイル３の駆動回路として用いられる場合は、前記抵抗２８は取外される。
【００１２】
入力端子２９へは正電圧が与えられる。前記信号レベル調整部１４では、前記電圧源２２の大きさと、前記抵抗１８、前記抵抗１９により入力電圧のレベルシフト量が決定される。又、前記抵抗１７、前記抵抗１９により所要の増幅率が決定されることで、信号電圧範囲の中点が０Ｖ付近に設定される。
【００１３】
前記信号レベル調整部１４でレベルが調整された信号は、前記積分回路部１５、即ち前記抵抗２４に対して出力される。
【００１４】
前記積分回路部１５は、前記抵抗２４と前記コンデンサ２７によって定まる時定数を有する積分回路として作動し、前記信号レベル調整部１４から出力された信号に基づき前記粗調整コイル３に駆動用の電流を供給し、又電流の供給を制御する。
【００１５】
尚、前記積分回路部１５が積分回路として動作している状態では、前記入力端子２９に与えられる入力信号電圧に対して前記積分回路部１５から出力される信号電圧は一義的に決定されない。
【００１６】
次に、前記抵抗２８が前記コンデンサ２７に並列となる様に、前記粗調整駆動回路５に接続する。
【００１７】
前記抵抗２８に対して並列接続された前記コンデンサ２７が、高インピーダンスとなる低周波域では、前記積分回路部１５は、前記抵抗２４、前記抵抗２８によって決定される増幅率を備えた増幅器として作動する。従って、前記入力端子２９に与えられる入力信号電圧に対して前記積分回路部１５から出力される信号電圧は一義的に決定される。
【００１８】
この為、前記入力端子２９に印加する、信号電圧を変化させることで、前記発振器１単体の周波数特性を検査することができる。
【００１９】
上記した、従来の発振器１では前記発振器１単体の、周波数特性を検査することは可能であるが、前記抵抗２８の機械的な着脱が必要であり、検査前後での前記抵抗２８の着脱、更に該抵抗２８の着脱に伴う、ケース或はカバーの取付け、取外しが必要となり、作業が煩雑なものとなっていた。
【００２０】
尚、ＹＩＧ共振子の駆動回路としては、特許文献１に示されるものがある。
【００２１】
【特許文献１】特開２００６−２５４００４号公報
【発明の開示】
【発明が解決しようとする課題】
【００２２】
本発明は斯かる実情に鑑み、部品の着脱作業を要することなく、簡単に、発振器等磁気回路を備えた装置単体での、周波数特性の検査を可能とした電気的に制御される磁気回路を備えた装置の駆動回路を提供するものである。
【課題を解決するための手段】
【００２３】
本発明は、信号レベル調整部と積分回路部とを具備する電気的に制御される磁気回路を備えた装置の駆動回路であって、前記積分回路部がＯＰアンプと、該ＯＰアンプに対して並列に接続されたコンデンサと、並列に接続された負帰還用の抵抗と、該抵抗を前記ＯＰアンプに対して継断するスイッチング手段とを有し、該スイッチング手段が前記抵抗を断状態とすることで、前記積分回路部が積分回路として動作し、前記スイッチング手段が前記抵抗を継状態とすることで、前記積分回路部が増幅回路として動作する様構成した電気的に制御される磁気回路を備えた装置の駆動回路に係るものである。
【発明の効果】
【００２４】
本発明によれば、信号レベル調整部と積分回路部とを具備する電気的に制御される磁気回路を備えた装置の駆動回路であって、前記積分回路部がＯＰアンプと、該ＯＰアンプに対して並列に接続されたコンデンサと、並列に接続された負帰還用の抵抗と、該抵抗を前記ＯＰアンプに対して継断するスイッチング手段とを有し、該スイッチング手段が前記抵抗を断状態とすることで、前記積分回路部が積分回路として動作し、前記スイッチング手段が前記抵抗を継状態とすることで、前記積分回路部が増幅回路として動作する様構成したので、磁気回路を備えた装置の周波数特性の検査を簡単に実施できると共に抵抗の機械的な接続、取外し作業を必要とせず、作業性が向上するという優れた効果を発揮する。
【発明を実施するための最良の形態】
【００２５】
以下、図面を参照しつつ本発明を実施する為の最良の形態を説明する。
【００２６】
図１は、本発明がＹＩＧ共振子を用いた発振器に実施された場合の、粗調整コイル３用の粗調整駆動回路３１を示しており、図１中、図３中で示したものと同等のものには同符号を付しその説明を省略する。
【００２７】
前記粗調整駆動回路３１では、前記コンデンサ２７に対して並列に前記抵抗２８、スイッチ３２が設けられ、該スイッチ３２と前記抵抗２８とは直列に接続されている。又、前記スイッチ３２をＯＮ／ＯＦＦする為のスイッチング回路３３が設けられている。該スイッチング回路３３、前記スイッチ３２はスイッチング手段を構成する。
【００２８】
前記粗調整駆動回路３１の概略の作動は、前記スイッチング回路３３によって前記スイッチ３２がＯＦＦされている状態では、前記積分回路部１５が積分回路として動作し、該積分回路部１５は前記入力端子２９に印加する信号電圧によって前記粗調整コイル３に供給する電流の供給状態を制御する。
【００２９】
又、前記スイッチング回路３３によって前記スイッチ３２がＯＮされている状態では、前記積分回路部１５は、前記抵抗２４、前記抵抗２８によって決定される時定数を有する増幅器として作動し、前記入力端子２９に印加する信号電圧を変化させることで、前記発振器１単体の周波数特性を検査することが可能となる。
【００３０】
以下、具体的に説明する。
【００３１】
前記スイッチング回路３３は、ＯＰアンプ３５、抵抗３６、抵抗３７、抵抗３８、ツェナーダイオード３９、ツェナーダイオード４０を有している。
【００３２】
前記入力端子２９は前記ＯＰアンプ３５、前記抵抗３６を介して前記スイッチ３２に接続され、又、前記抵抗３６は前記抵抗３７、前記ツェナーダイオード３９、前記ツェナーダイオード４０、前記抵抗３８を介して接地されている。
【００３３】
前記抵抗３７の接地側と前記抵抗１８とが接続され、接続部分の電位はＶｘとなっている。又、前記入力端子２９の電位はＶｉ、前記ＯＰアンプ１６の出力信号の電位はＶｏとなっている。
【００３４】
前記ＯＰアンプ３５により、前記入力端子２９に入力される入力信号の電位と接地電位とが比較され、入力信号の正又は負に対応し前記ＯＰアンプ３５からの出力は正又は負の一定電圧となる。又、前記スイッチ３２は、前記ＯＰアンプ３５からの出力電圧の正負によってＯＮ／ＯＦＦ状態が決定され、本実施の形態では、負の電圧が印加されると、前記スイッチ３２はＯＦＦ状態となり、正の電圧が印加されると、前記スイッチ３２はＯＮ状態となる様になっている。
【００３５】
又、前記電位Ｖｘは、前記ＯＰアンプ３５の出力状態により決定され、該ＯＰアンプ３５の出力電圧が正であれば、前記電位Ｖｘは正の電位、前記ＯＰアンプ３５の出力電圧が負であれば、前記電位Ｖｘは負の電位をとる。
【００３６】
前記抵抗１７、前記抵抗１９によって、前記信号レベル調整部１４の増幅率が決定される。又、前記信号レベル調整部１４は、前記電位Ｖｘの大きさと、前記抵抗１８、前記抵抗１９により、入力電圧のレベルシフトを決定する。以下に、レベルシフト量の計算式を示す。
【００３７】
Ｖｏ＝−（Ｒ3 ／Ｒ1 ）Ｖｉ−（Ｒ3 ／Ｒ2 ）Ｖｘ  …  （式１）
【００３８】
前記入力端子２９へ与えられる入力電気信号が正電圧（Ｖｉ＞０）の場合、前記電位Ｖｘは負電圧（Ｖｘ＜０）となり、式１に従う電圧Ｖｏを出力する。又、前記スイッチ３２はＯＦＦ状態となり、前記積分回路部１５は抵抗２４と前記コンデンサ２７の定数で決定される時定数を備えた積分回路として作動する。
【００３９】
又、前記入力端子２９へ与えられる信号が負電圧（Ｖｉ＜０）の場合、前記電位Ｖｘは正電圧（Ｖｘ＞０）となり、式１に従う前記電圧Ｖｏを出力する。
【００４０】
この時、正の電圧Ｖｘ、負の電圧Ｖｘの絶対値が同一であれば、ＶｉとＶｘの符号が反転しただけであり、Ｖｏの絶対値は前記入力端子２９へ入力される信号が正電圧（Ｖｉ＞０）の場合と同じになる。又、前記スイッチ３２はＯＮ状態となり、前記積分回路部１５は前記抵抗２８に対して並列接続した前記コンデンサ２７が高インピーダンスとなる低周波領域では、前記抵抗２４、前記抵抗２８の定数で決定される増幅率を備えた増幅率として動作する。従って、前記入力端子２９に与えられる入力信号電圧と前記粗調整コイル３へ印加する信号電圧の関係を一義的に決定することができ、前記発振器１単体の周波数特性は前記入力端子２９へ与えられる入力信号電圧を変化させることで、検査することができる。
【００４１】
尚、前記スイッチ３２としては、一般的なアナログスイッチの他、電子リレー、機械式リレー等を使用することが可能である。
【００４２】
又、前記スイッチ３２を動作させるスイッチング回路は、前記信号レベル調整部１４とは独立して設け、スイッチ動作信号を別途スイッチング回路に入力する様にしてもよい。
【図面の簡単な説明】
【００４３】
【図１】本発明の実施の形態を示す回路図である。
【図２】本発明に係る駆動回路が実施される発振器の一例を示す概略構成図である。
【図３】従来の磁気回路を備えた装置の駆動回路の回路図である。
【符号の説明】
【００４４】
１              発振器
２              ＹＩＧ共振子
３              粗調整コイル
４              微調整コイル
５              粗調整駆動回路
７              磁束
８              発振部
１４            信号レベル調整部
１５            積分回路部
１６            ＯＰアンプ
２３            ＯＰアンプ
２４            抵抗
２７            コンデンサ
２８            抵抗
３２            スイッチ
３３            スイッチング回路
【図１】
2009124252.tif 000003
【図２】
2009124252.tif 000004
【図３】
2009124252.tif 000005